(57)【特許請求の範囲】
【請求項１】
媒体挿入口と磁気ヘッドとの間に設けられた磁気センサと、
前記磁気センサよりも前記媒体挿入口に近い位置に設けられた第１のセンサと、
空間に磁界を発生する磁界発生器と、
前記媒体挿入口から媒体が挿入される場合に、前記第１のセンサが検出状態に遷移してから前記磁気センサが検出状態に遷移するまで磁界を停止するように前記磁界発生器を制御する制御部と、
を備える、自動取引装置。
【請求項２】
前記制御部は、前記磁気センサが検出状態に遷移してから所定の第１のタイミングが到来するまで磁界を発生するように前記磁界発生器を制御し、前記第１のタイミングが到来してから磁界を停止するように前記磁界発生器を制御する、
請求項１に記載の自動取引装置。
【請求項３】
前記第１のタイミングは、前記第１のセンサによって前記媒体の挿入方向の後端が検出されるタイミングである、
請求項２に記載の自動取引装置。
【請求項４】
前記制御部は、前記第１のタイミングが到来した後に、前記媒体からデータを読み取る動作または前記媒体にデータを書き込む動作を前記磁気ヘッドに実行させる、
請求項２に記載の自動取引装置。
【請求項５】
前記制御部は、前記媒体挿入口から前記媒体が挿入される場合に、前記第１のセンサが所定時間を超えて検出状態を維持している場合には、所定のエラー処理を実行する、
請求項１に記載の自動取引装置。
【請求項６】
前記所定のエラー処理は、前記自動取引装置を停止させる動作、上位装置に警報信号を送信する動作およびシャッタを閉じる動作の少なくともいずれか一つを含む、
請求項５に記載の自動取引装置。
【請求項７】
前記制御部は、前記媒体挿入口から前記媒体が排出される場合に、所定の第２のタイミングが到来するまで磁界を停止するように前記磁界発生器を制御し、前記第２のタイミングが到来してから磁界を発生するように前記磁界発生器を制御する、
請求項１に記載の自動取引装置。
【請求項８】
前記自動取引装置は、前記磁気センサと前記磁気ヘッドとの間に第２のセンサを備え、
前記第２のタイミングは、前記第２のセンサによって前記媒体の排出方向の後端が検出されるタイミングである、
請求項７に記載の自動取引装置。
【請求項９】
前記制御部は、前記媒体が前記媒体挿入口から取り出されたことが検出された場合には、磁界を停止するように前記磁界発生器を制御する、
請求項７に記載の自動取引装置。
【請求項１０】
前記磁界発生器は、前記磁気センサによる検出可能範囲の一部または全部を含んだ空間に磁界を発生する、
請求項１に記載の自動取引装置。
【発明の詳細な説明】
【技術分野】
【０００１】
本発明は、自動取引装置に関する。
【背景技術】
【０００２】
従来、利用者による操作に従って自動的に取引を行う自動取引装置が普及している。かかる自動取引装置においては、利用者から挿入された媒体に記録された磁気データの読み取り結果に基づいて、取引が実行される。ここで、磁気データの不正な取得を妨害するために磁界発生器から磁界（以下、「妨害磁界」とも言う。）を発生させる技術が開示されている（例えば、特許文献１参照）。
【先行技術文献】
【特許文献】
【０００３】
【特許文献１】特開２００１−０６７５２４号公報
【発明の概要】
【発明が解決しようとする課題】
【０００４】
しかしながら、媒体挿入を検出する磁気センサによって妨害磁界が検出されてしまう場合がある。かかる場合には、磁気センサによる媒体挿入の検出精度が低下するため、磁気センサによってカードが検出されるまでは磁界発生器から妨害磁界を発生させることが困難となってしまう。そのため、媒体に記録された磁気データの不正な読み取りを効果的に妨害できない可能性がある。
【０００５】
そこで、媒体に記録された磁気データの不正な読み取りをより効果的に妨害する技術の提供が望まれる。
【課題を解決するための手段】
【０００６】
上記問題を解決するために、本発明のある観点によれば、媒体挿入口と磁気ヘッドとの間に設けられた磁気センサと、前記磁気センサよりも前記媒体挿入口に近い位置に設けられた第１のセンサと、空間に磁界を発生する磁界発生器と、前記媒体挿入口から媒体が挿入される場合に、前記第１のセンサが検出状態に遷移してから前記磁気センサが検出状態に遷移するまで磁界を停止するように前記磁界発生器を制御する制御部と、を備える、自動取引装置が提供される。
【０００７】
前記制御部は、前記磁気センサが検出状態に遷移してから所定の第１のタイミングが到来するまで磁界を発生するように前記磁界発生器を制御し、前記第１のタイミングが到来してから磁界を停止するように前記磁界発生器を制御してよい。
【０００８】
前記第１のタイミングは、前記第１のセンサによって前記媒体の挿入方向の後端が検出されるタイミングであってよい。
【０００９】
前記制御部は、前記第１のタイミングが到来した後に、前記媒体からデータを読み取る動作または前記媒体にデータを書き込む動作を前記磁気ヘッドに実行させてよい。
【００１０】
前記制御部は、前記媒体挿入口から前記媒体が挿入される場合に、前記第１のセンサが所定時間を超えて検出状態を維持している場合には、所定のエラー処理を実行してよい。
【００１１】
前記所定のエラー処理は、前記自動取引装置を停止させる動作、上位装置に警報信号を送信する動作およびシャッタを閉じる動作の少なくともいずれか一つを含んでよい。
【００１２】
前記制御部は、前記媒体挿入口から前記媒体が排出される場合に、所定の第２のタイミングが到来するまで磁界を停止するように前記磁界発生器を制御し、前記第２のタイミングが到来してから磁界を発生するように前記磁界発生器を制御してよい。
【００１３】
前記自動取引装置は、前記磁気センサと前記磁気ヘッドとの間に第２のセンサを備え、
前記第２のタイミングは、前記第２のセンサによって前記媒体の排出方向の後端が検出されるタイミングであってよい。
【００１４】
前記制御部は、前記媒体が前記媒体挿入口から取り出されたことが検出された場合には、磁界を停止するように前記磁界発生器を制御してよい。
【００１５】
前記磁界発生器は、前記磁気センサによる検出可能範囲の一部または全部を含んだ空間に磁界を発生してよい。
【発明の効果】
【００１６】
以上説明したように本発明によれば、媒体に記録された磁気データの不正な読み取りをより効果的に妨害することが可能となる。
【図面の簡単な説明】
【００１７】
【図１】本発明の実施形態に係る自動取引装置が有するカードリーダおよびその周辺の構成例を示す概略側面図である。
【図２】自動取引装置によるカード挿入時動作の例を示すフローチャートである。
【図３】自動取引装置によるカード挿入時動作の例を示すフローチャートである。
【図４】自動取引装置によるカード排出時動作の例を示すフローチャートである。
【図５】自動取引装置によるカード排出時動作の例を示すフローチャートである。
【発明を実施するための形態】
【００１８】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１９】
また、本明細書および図面において、実質的に同一の機能構成を有する複数の構成要素を、同一の符号の後に異なる数字を付して区別する。また、異なる実施形態の類似する構成要素については、同一の符号の後に異なるアルファベットを付して区別する。ただし、実質的に同一の機能構成を有する複数の構成要素等の各々を特に区別する必要がない場合、同一符号のみを付する。
【００２０】
（１．背景）
まず、本発明の実施形態の背景について説明する。一般に、銀行、信用金庫、郵便局等の金融機関の支店等には、ＡＴＭ（Ａｕｔｏｍａｔｉｃ  Ｔｅｌｌｅｒ  Ｍａｓｈｉｎｅ：現金自動預払機）、ＣＤ（Ｃａｓｈ  Ｄｉｓｐｅｎｓｅｒ：現金自動支払機）等の自動取引装置が配置されている。そして、利用者は自動取引装置を自分で操作して、入金、出金、振込、振替等の金融取引を行うことが可能である。
【００２１】
まず、自動取引装置を用いて金融取引を行うに際して、利用者は、自動取引装置の筐体の前面等に設けられたカード挿入口に自分のキャッシュカード（以下、単に「カード」とも言う。）を挿入する。そして、利用者が入力機能（例えば、タッチセンサ方式のキーボードパネルなど）を兼ね備えた入力機能付き表示装置に表示されたテンキーを操作して暗証番号を入力することによって、本人認証が行われる。
【００２２】
しかし、近年では、カード挿入口の内側等に磁気データ読み取り機等を取り付ける細工を施して、利用者によってカード挿入口に挿入されたカードの磁気ストライプに記録された磁気データを磁気データ読み取り機によって不正に取得する行為が多発している。例えば、かかる行為によって、利用者になりすまして利用者の口座から出金する不正行為が可能になる。
【００２３】
そこで、このような磁気データの不正な取得を妨害するために磁界発生器から妨害磁界を発生させる技術が開示されている（例えば、特開２００１−０６７５２４号公報）。自動取引装置は、記録用および再生用の磁気ヘッドを内部に有する磁気カードリーダを備えており、この磁気ヘッドの動作を阻害しないように、妨害磁界の発生はカード挿入時および排出時とされているのが一般的である。
【００２４】
ここで、カード挿入時には、カード挿入検出用の磁気センサ（以下、単に「磁気センサ」とも言う。）によってカードの挿入方向（カード挿入口から磁気ヘッドへの方向）の先端が検出されてから一定時間だけ磁界発生器から妨害磁界を発生させるのが一般的である。また、カード排出時には、カードの排出方向の後端がフォトセンサによってカードの排出方向（磁気ヘッドからカード挿入口への方向）の後端が検出されてから所定時間だけ磁界発生器から妨害磁界を発生させるのが一般的である。
【００２５】
しかし、磁界発生器によって発生された妨害磁界が磁気センサによって検出されているときには、磁気センサによるカードの挿入方向の先端の検出精度が低下してしまうため、磁気センサによってカードの挿入方向の先端が検出されるまでは磁界発生器から妨害磁界を発生させることが困難である。そのため、磁気センサによってカードの挿入方向の先端が検出されるまでは、カードに記録された磁気データの不正な読み取りを効果的に妨害できない可能性がある。
【００２６】
また、磁気センサによってカードの挿入方向の先端が検出されてから妨害磁界を発生させる場合、磁気センサによるカードの挿入方向の後端の検出精度が低下してしまう。そのため、磁気センサによってカードの挿入方向の先端が検出されてから所定時間が経過したときに妨害磁界を停止させるのが一般的である。
【００２７】
このとき、カードの搬送に遅れが発生した場合（例えば、自動取引装置１の内部へのカードの取り込みを妨げる力を利用者がカードに与えた場合）等には、カード挿入口の外部にカードが依然として突出しているにも関わらず、妨害磁界を停止させてしまう可能性もある。そのため、カードに記録された磁気データの不正な読み取りを効果的に妨害できない可能性がある。
【００２８】
そこで、上記したような背景に鑑みて、本発明の実施形態においては、カードに記録された磁気データの不正な読み取りをより効果的に妨害することが可能な技術について主に提案する。
【００２９】
なお、以下では、自動取引装置にカードを挿入する場合を例として説明するが、自動取引装置に挿入されるのは、磁気データを記録した磁気ストライプを有する媒体であればよい。例えば、自動取引装置に挿入されるのは、クレジットカード以外のカードであってもよいし、カード以外の媒体（例えば、通帳など）であってもよい。
【００３０】
また、本発明の実施形態においては、自動取引装置としてＡＴＭ（Ａｕｔｏｍａｔｅｄ  ｔｅｌｌｅｒ  ｍａｃｈｉｎｅ：現金自動預け払い機）を例に挙げて説明するが、本発明の実施形態に係る自動取引装置は、かかる例に限定されない。本発明の実施形態に係る自動取引装置は、磁気データを記録した磁気ストライプを有する媒体が挿入され、挿入された媒体に基づいて取引を行う装置であれば、特定の装置に限定されない。
【００３１】
（２．構成の説明）
続いて、本発明の実施形態に係る自動取引装置の構成について説明する。図１は、本発明の実施形態に係る自動取引装置が有するカードリーダおよびその周辺の構成例を示す概略側面図である。図１に示すように、自動取引装置１は、磁気カードリーダ１０とフロントパネル３０との他に、フォトセンサ（第１のセンサ）（以下、「手前側センサ」と言う。）２１を有する。フロントパネル３０には、カード挿入口３１が形成されている。
【００３２】
磁気カードリーダ１０は、シャッタ１２と、磁界発生器１３と、取り込みローラ対１４と、磁気ヘッド１５と、搬送ローラ対１６と、搬送ローラ対１７と、制御部１８と、磁気センサ２２と、フォトセンサ（第２のセンサ）（以下、「奥側センサ」と言う。）２３と、を有する。なお、本発明の実施形態においては、手前側センサ２１と奥側センサ２３としてフォトセンサを用いるが、フォトセンサの代わりに他のセンサを有していてもよい。
【００３３】
フロントパネル３０は、自動取引装置１の前面（すなわち、自動取引装置１を操作する利用者が対峙する面）に設けられている。カード挿入口３１は、利用者によって自動取引装置１の内部へのカードＣＡの挿入を可能にするようにフロントパネル３０に形成されている。磁気カードリーダ１０は、利用者によってカード挿入口３１から挿入されたカードＣＡが内部に差し込まれるような位置に設けられている。
【００３４】
磁気ヘッド１５は、磁気データが記録された磁気ストライプを有するカードＣＡを検出すると、そのカードＣＡに対して、磁気によってデータ読み取りまたはデータ書き込みを行うことが可能である。磁気ヘッド１５によって読み取られたデータ（例えば、口座番号など）は、各種の取引に利用されてよい。また、磁気ヘッド１５によって書き込まれるデータは、取引結果に応じたデータであってよい。
【００３５】
磁気センサ２２は、カード挿入口３１と磁気ヘッド１５との間に設けられている。磁気センサ２２は、検出値が磁気センサ用の閾値を上回る状態（以下、「検出状態」「磁気センサがＯＮ」とも言う。）と検出値が磁気センサ用の閾値を下回る状態（以下、「非検出状態」「磁気センサがＯＦＦ」とも言う。）との間で状態遷移される。
【００３６】
手前側センサ２１は、磁気センサ２２よりもカード挿入口３１に近い位置に設けられている。例えば、手前側センサ２１は、図１に示したように、フロントパネル３０のカード挿入口３１の付近に設けられてよい。手前側センサ２１は、検出値が手前側センサ用の閾値を上回る状態（以下、「検出状態」「手前側センサがＯＮ」とも言う。）と検出値が所定の手前側センサ用の閾値を下回る状態（以下、「非検出状態」「手前側センサがＯＦＦ」とも言う。）との間で状態遷移される。
【００３７】
また、手前側センサ２１は、カードＣＡの挿入方向（カード挿入口３１から磁気ヘッド１５への方向であり、図１においては右方向）の先端が検出可能範囲に到達した場合、カードＣＡの挿入方向の先端を検出することが可能である。同様に、手前側センサ２１は、カードＣＡの挿入方向の後端が検出可能範囲に到達した場合、カードＣＡの挿入方向の後端を検出することが可能である。
【００３８】
磁界発生器１３は、カードＣＡの磁気ストライプに記録された磁気データの不正な取得を妨害するために三次元空間に妨害磁界を発生する。磁界発生器１３が設けられる位置は限定されないが、本発明の実施形態においては、磁界発生器１３が磁気センサ２２による検出可能範囲の一部または全部を含んだ空間に磁界を発生する程度に、磁界発生器１３と磁気センサ２２とが接近している場合を想定する。
【００３９】
奥側センサ２３は、磁気センサ２２と磁気ヘッド１５との間に設けられている。奥側センサ２３は、検出値が奥側センサ用の閾値を上回る状態（以下、「検出状態」「奥側センサがＯＮ」とも言う。）と検出値が所定の奥側センサ用の閾値を下回る状態（以下、「非検出状態」「奥側センサがＯＦＦ」とも言う。）との間で状態遷移される。
【００４０】
また、奥側センサ２３は、カードＣＡの排出方向（磁気ヘッド１５からカード挿入口３１への方向であり、図１においては左方向）の先端が、奥側センサ２３の検出可能範囲に到達した場合、カードＣＡの排出方向の先端を検出することが可能である。同様に、奥側センサ２３は、カードＣＡの排出方向の後端が奥側センサ２３の検出可能範囲に到達した場合、カードＣＡの排出方向の後端を検出することが可能である。
【００４１】
シャッタ１２は、カード挿入口３１を閉じる閉状態とカード挿入口３１を開放する開状態との間で状態遷移し得る。シャッタ１２が閉状態であれば、シャッタ１２によってカード挿入口３１へのカードＣＡの挿入が妨げられる。一方、シャッタ１２が開状態であれば、カード挿入口３１へのカードＣＡの挿入が可能となる。
【００４２】
取り込みローラ対１４、搬送ローラ対１６および搬送ローラ対１７それぞれは、カードＣＡを把持しながら挿入方向に対応する回転方向に回転することによって、カードＣＡを挿入方向に送り出すことが可能である。一方、取り込みローラ対１４、搬送ローラ対１６および搬送ローラ対１７それぞれは、カードＣＡを把持しながら排出方向に対応する回転方向に回転することによって、カードＣＡを排出方向に送り出すことが可能である。
【００４３】
制御部１８は、手前側センサ２１と磁気カードリーダ１０とを含む自動取引装置１の全体的な動作を制御する機能を有する。
【００４４】
（３．動作の説明）
続いて、本発明の実施形態に係る自動取引装置１の動作の例について説明する。図２および図３は、自動取引装置１によるカード挿入時動作の例を示すフローチャートである。図２および図３を参照しながら（適宜に図１も参照しながら）、自動取引装置１によるカード挿入時動作の例を説明する。なお、自動取引装置１によるカード挿入時動作は、図２および図３のフローチャートによって示される動作に限定されない。また、以下の説明において、カードＣＡ以外の物体を異物と呼ぶことがある。
【００４５】
まず、利用者によってカードＣＡが挿入される前に、自動取引装置１における初期化処理が終了すると（ステップＳ１１）、制御部１８は、磁界発生器１３に妨害磁界を発生させる（ステップＳ１２）。このとき、まだカードＣＡは挿入されていないため、手前側センサ２１はＯＦＦである。続いて、制御部１８は、利用者によってカードＣＡ（または異物）がカード挿入口３１に近づけられることによって、制御部１８は、手前側センサ２１がＯＦＦからＯＮに状態遷移したか否かを判定する（ステップＳ１３）。
【００４６】
制御部１８は、手前側センサ２１がＯＦＦのままであると判定した場合には（ステップＳ１３において「Ｎｏ」）、ステップＳ１３に動作を移行させる。一方、制御部１８は、手前側センサ２１がＯＦＦからＯＮに状態遷移したと判定した場合には（ステップＳ１３において「Ｙｅｓ」）、磁界発生器１３に妨害磁界を停止させる（ステップＳ１４）。
【００４７】
かかる動作によれば、手前側センサ２１がＯＦＦからＯＮに状態遷移してから、磁気センサ２２がＯＦＦからＯＮに状態遷移するまでは妨害磁界が停止されるため、磁気センサによるカードＣＡの挿入の検出精度が低下することを抑制することが可能となる。また、手前側センサ２１がＯＦＦからＯＮに状態遷移するまでは妨害磁界が発生されるため、磁気データの不正な読み取りを妨害することが可能である。したがって、これらの動作により、カードＣＡに記録された磁気データの不正な読み取りをより効果的に妨害することが可能である。
【００４８】
続いて、制御部１８は、手前側センサ２１が所定時間を超えてＯＮであるか否かを判定する（ステップＳ１５）。制御部１８は、手前側センサ２１が所定時間を超えてＯＮであると判定した場合には（ステップＳ１５において「Ｙｅｓ」）、手前側センサ２１によって異物が検出されたと判定して、所定のエラー処理を実行する。エラー処理はどのような処理であってもよいが、自動取引装置１を停止させる動作であってもよいし、上位装置等に警報信号を送信する動作であってもよい。また、シャッタ１２を閉じてカード挿入が出来ないようにしてもよい。例えば、検出された異物として磁気データ読取装置が取り付けられていた場合、自動取引装置１を停止させてもカード挿入が出来る状態であるとカードが挿入されてしまえば、カードの磁気データが読み取られる可能性があるからである。
【００４９】
自動取引装置１が停止されれば、磁気センサ２２がＯＮになってもシャッタ１２が閉じられたままとなり、カードＣＡに記録された磁気データの不正な読み取りを妨害することが可能となる。また、上位装置等に警報信号が送信されれば、上位装置によって受信された警報信号を知覚した監視者が、自動取引装置１の点検を行うことが可能となるため、カードＣＡに記録された磁気データの不正な読み取りを妨害することが可能となる。
【００５０】
一方、制御部１８は、手前側センサ２１がＯＮである時間が所定時間を超えていないと判定した場合には（ステップＳ１５において「Ｎｏ」）、利用者によってさらにカードＣＡが奥に挿入されて、磁気センサ２２がＯＮとなったか否かを判定する（ステップＳ１７）。制御部１８は、磁気センサ２２がＯＦＦのままであると判定した場合（ステップＳ１７において「Ｎｏ」）、ステップＳ１５に動作を移行させる。
【００５１】
一方、制御部１８は、磁気センサ２２がＯＮになったと判定した場合（ステップＳ１７において「Ｙｅｓ」）、磁界発生器１３に妨害磁界を発生させ（ステップＳ１８）、シャッタ１２を開き（ステップＳ２１）、挿入方向に対応する回転方向への、取り込みローラ対１４、搬送ローラ対１６および搬送ローラ対１７の回転を開始させる（ステップＳ２２）。カードＣＡが取り込みローラ対１４の隙間に入り込むと、取り込みローラ対１４がカードＣＡを把持しながら挿入方向に対応する回転方向に回転することによって、カードＣＡを挿入方向に送り出す。
【００５２】
続いて、制御部１８は、手前側センサ２１によってカードＣＡの挿入方向の後端が検出されたか否かを判定する（ステップＳ２３）。なお、制御部１８は、手前側センサ２１によってカードＣＡの挿入方向の後端が検出されたか否かを判定する代わりに、所定の第１のタイミングが到来するか否かを判定してもよい。制御部１８は、手前側センサ２１によってカードＣＡの挿入方向の後端が検出されていないと判定した場合には（ステップＳ２３において「Ｎｏ」）、ステップＳ２３に動作を移行させる。
【００５３】
一方、制御部１８は、手前側センサ２１によってカードＣＡの挿入方向の後端が検出されたと判定した場合には（ステップＳ２３において「Ｙｅｓ」）、磁気ヘッド１５に対するデータ読み取りまたはデータ書き込みへの準備のため、磁界発生器１３に妨害磁界を停止させる（ステップＳ２４）。
【００５４】
かかる動作によれば、手前側センサ２１によってカードＣＡの挿入方向の後端が検出された場合に妨害磁界が停止されるため、カードＣＡの搬送に遅れが発生した場合等であっても、カード挿入口３１の外部には残っていない状態になってから妨害磁界が停止される。そのため、カードＣＡに記録された磁気データの不正な読み取りをさらに効果的に妨害することが可能となる。
【００５５】
続いて、制御部１８は、磁気ヘッド１５によってカードＣＡが検出されたか否かを判定する（ステップ２５）。制御部１８は、磁気ヘッド１５によってカードＣＡが検出されていないと判定した場合（ステップＳ２５において「Ｎｏ」）、ステップＳ２５に動作を移行させる。
【００５６】
一方、制御部１８は、磁気ヘッド１５によってカードＣＡが検出されたと判定した場合（ステップＳ２５において「Ｙｅｓ」）、カードＣＡに対するデータ読み取りまたはデータ書き込みを磁気ヘッド１５に実行させる（Ｓ２６）。その後、制御部１８は、取り込みローラ対１４、搬送ローラ対１６および搬送ローラ対１７の回転を停止させる（ステップＳ２７）。以上、自動取引装置１によるカード挿入時動作の例を説明した。
【００５７】
図４および図５は、自動取引装置１によるカード排出時動作の例を示すフローチャートである。図４および図５を参照しながら（適宜に図１も参照しながら）、自動取引装置１によるカード排出時動作の例を説明する。なお、自動取引装置１によるカード排出時動作は、図４および図５のフローチャートによって示される動作に限定されない。
【００５８】
制御部１８は、カードＣＡに対するデータ読み取りまたはデータ書き込みが完了すると、排出方向に対応する回転方向への、取り込みローラ対１４、搬送ローラ対１６および搬送ローラ対１７の回転を開始させる（ステップＳ３１）。そして、制御部１８は、奥側センサ２３によってカードＣＡの排出方向の後端が検出されたか否かを判定する（ステップＳ３２）。なお、制御部１８は、奥側センサ２３によってカードＣＡの排出方向の後端が検出されたか否かを判定する代わりに、所定の第２のタイミングが到来するか否かを判定してもよい。
【００５９】
制御部１８は、奥側センサ２３によってカードＣＡの排出方向の後端が検出されなかったと判定した場合には（ステップＳ３２において「Ｎｏ」）、ステップＳ３２に動作を移行させる。一方、制御部１８は、奥側センサ２３によってカードＣＡの排出方向の後端が検出されたと判定した場合には（ステップＳ３２において「Ｙｅｓ」）、磁界発生器１３に妨害磁界を発生させる（ステップＳ３３）。かかる動作により、カード挿入口３１の外部への突出部分から磁気データが不正に読み取られることを妨害することが可能となる。
【００６０】
続いて、制御部１８は、カードＣＡがカード挿入口３１から所定量排出されたか否かを判定する（ステップＳ３４）。制御部１８は、カードＣＡがカード挿入口３１から所定量排出されていないと判定した場合には（ステップＳ３４において「Ｎｏ」）、ステップＳ３４に動作を移行させる。
【００６１】
一方、制御部１８は、カードＣＡがカード挿入口３１から所定量排出されたと判定した場合には（ステップＳ３４において「Ｙｅｓ」）、排出方向に対応する回転方向への、取り込みローラ対１４、搬送ローラ対１６および搬送ローラ対１７の回転を停止させる（ステップＳ３５）。かかる動作により、制御部１８は、利用者によってカードＣＡがカード挿入口３１から取り出されるのを待機することが可能となる。
【００６２】
続いて、制御部１８は、手前側センサ２１によってカード挿入口３１からのカードＣＡの取り出しが検出されたか否かを判定する（ステップＳ４１）。制御部１８は、手前側センサ２１がカードＣＡの取り出しを検出しなかった場合（ステップＳ４１において「Ｎｏ」）、ステップＳ４１に動作を移行させる。
【００６３】
一方、制御部１８は、手前側センサ２１によってカードＣＡの取り出しが検出された場合には（ステップＳ４１において「Ｙｅｓ」）、磁界発生器１３に妨害磁界を停止させ（ステップＳ４２）、シャッタ１２を閉じる（ステップＳ４３）。以上、自動取引装置１によるカード排出時動作の例を説明した。
【００６４】
以上に説明したように、本発明の実施形態によれば、手前側センサ２１がＯＦＦからＯＮに状態遷移してから、磁気センサ２２がＯＦＦからＯＮに状態遷移するまでは妨害磁界が停止されるため、磁気センサによるカードＣＡの挿入の検出精度が低下することを抑制することが可能となる。また、手前側センサ２１がＯＦＦからＯＮに状態遷移するまでは妨害磁界が発生されるため、磁気データの不正な読み取りを妨害することが可能である。したがって、これらの動作により、カードＣＡに記録された磁気データの不正な読み取りをより効果的に妨害することが可能である。
【００６５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６６】
また、自動取引装置１の動作全体を制御するための制御部１８は、専用のハードウェアによって構成されてもよいし、自動取引装置１に内蔵されたＣＰＵ（Ｃｅｎｔｒａｌ  Ｐｒｏｃｅｓｓｉｎｇ  Ｕｎｉｔ）がＲＯＭ（Ｒｅａｄ  Ｏｎｌｙ  Ｍｅｍｏｒｙ）に記憶されたプログラムをＲＡＭ（Ｒａｎｄｏｍ  Ａｃｃｅｓｓ  Ｍｅｍｏｒｙ）に展開して実行することにより実現されてもよい。かかるプログラムが提供され得る他、かかるプログラムを記憶させた記憶媒体も提供され得る。
【符号の説明】
【００６７】
１      自動取引装置
１０    磁気カードリーダ
１２    シャッタ
１３    磁界発生器
１４    取り込みローラ対
１５    磁気ヘッド
１６    搬送ローラ対
１７    搬送ローラ対
１８    制御部
２１    手前側センサ（第１のセンサ）
２２    磁気センサ
２３    奥側センサ（第２のセンサ）
３０    フロントパネル
３１    カード挿入口
ＣＡ    カード
【図１】
0006492984.tif 000002
【図２】
0006492984.tif 000003
【図３】
0006492984.tif 000004
【図４】
0006492984.tif 000005
【図５】
0006492984.tif 000006